(57)【要約】  通信制御装置が、ユーザ装置から受信する能力情報と、加入者情報管理装置から受信する当該ユーザ装置のサービス利用可否情報とに基づいて、当該ユーザ装置に対して特定の機能を有するゲートウェイを選択するか否かを決定する制御部と、前記制御部により、前記ユーザ装置に対して前記特定の機能を有するゲートウェイを選択すると決定された場合に、ＤＮＳに対し、前記特定の機能を利用可能であることを示すパラメータを有する問い合わせ信号を送信する送信部と、当該ＤＮＳから前記特定の機能を有するゲートウェイのリストを受信する受信部とを備える。
2019074045.tif 000002
【特許請求の範囲】
【請求項１】
ユーザ装置から受信する能力情報と、加入者情報管理装置から受信する当該ユーザ装置のサービス利用可否情報とに基づいて、当該ユーザ装置に対して特定の機能を有するゲートウェイを選択するか否かを決定する制御部と、
前記制御部により、前記ユーザ装置に対して前記特定の機能を有するゲートウェイを選択すると決定された場合に、ＤＮＳに対し、前記特定の機能を利用可能であることを示すパラメータを有する問い合わせ信号を送信する送信部と、
当該ＤＮＳから前記特定の機能を有するゲートウェイのリストを受信する受信部と
を備えることを特徴とする通信制御装置。
【請求項２】
前記制御部は、予め定められたポリシーに基づいて前記ユーザ装置に対して前記特定の機能を有するゲートウェイを選択するか否かを決定する
ことを特徴とする請求項１に記載の通信制御装置。
【請求項３】
前記制御部は、前記能力情報が、前記特定の機能を利用することが可能であることを示す情報であり、かつ、前記サービス利用可否情報が、前記特定の機能を利用することが可能であることを示す情報である場合に、前記ユーザ装置に対して前記特定の機能を有するゲートウェイを選択すると決定する
ことを特徴とする請求項１又は２に記載の通信制御装置。
【請求項４】
前記特定の機能はＮＲ機能である
ことを特徴とする請求項１ないし３のうちいずれか１項に記載の通信制御装置。
【請求項５】
ユーザ装置から受信する能力情報と、加入者情報管理装置から受信する当該ユーザ装置のサービス利用可否情報とに基づいて、当該ユーザ装置に対して特定の機能を有するゲートウェイを選択するか否かを決定する判定ステップと、
前記判定ステップにより、前記ユーザ装置に対して前記特定の機能を有するゲートウェイを選択すると決定された場合に、ＤＮＳに対し、前記特定の機能を利用可能であることを示すパラメータを有する問い合わせ信号を送信する送信ステップと、
当該ＤＮＳから前記特定の機能を有するゲートウェイのリストを受信する受信ステップと
を備えることを特徴とする、通信制御装置により実行される通信制御方法。
【発明の詳細な説明】
【技術分野】
【０００１】
本発明は、通信システムにおいてゲートウェイを選択するための技術に関連するものである。
【背景技術】
【０００２】
現在、ＬＴＥ（４Ｇと称される）による無線サービスが広く提供されている。３ＧＰＰでは、４Ｇからのシステム容量の更なる大容量化、データ伝送速度の更なる高速化、無線区間における更なる低遅延化などを実現するために、５Ｇと呼ばれる無線通信方式の検討が進んでいる。５Ｇでは、１０Ｇｂｐｓ以上のスループットを実現しつつ無線区間の遅延を１ｍｓ以下にするという要求条件を満たすために、様々な技術の検討が行われている。【０００３】
例えば、５Ｇでは、超高速、大容量化、及び超低遅延を実現するために、既存の低周波数帯に加えて、広帯域を確保しやすい高周波数帯の利用が検討されている。なお、５Ｇをサポートする無線ネットワークは、ＮＲ（Ｎｅｗ  Ｒａｄｉｏ）と呼ばれる。
【先行技術文献】
【非特許文献】
【０００４】
【非特許文献１】３ＧＰＰ  ＴＳ  ２４．３０１  Ｖ１５．０．１  （２０１７−０９）
【非特許文献２】３ＧＰＰ  ＴＳ  ２３．４０１  Ｖ１５．１．０  （２０１７−０９）
【非特許文献３】３ＧＰＰ  ＴＳ  ２４．００８  Ｖ１５．０．０  （２０１７−０９）
【発明の概要】
【発明が解決しようとする課題】
【０００５】
ＬＴＥ等の通信システムにおいて、コアネットワークと外部ネットワークとの境界となるゲートウェイが存在する。例えば、ＥＰＣ（Evolved Packet Core）においては、Ｓ−ＧＷとＰ−ＧＷ（Ｓ／Ｐ−ＧＷと記述する）が存在する。【０００６】
５Ｇ初期導入時において、オペレータの展開方針によって、５Ｇ機能を待つゲートウェイと５Ｇ機能を持たない既存のゲートウェイが混在する可能性がある。ここで、５Ｇ機能とは、例えば、高速データ通信機能である。【０００７】
５Ｇ機能を持つゲートウェイと５Ｇ機能を持たない既存のゲートウェイが混在する環境において、５Ｇ機能を利用するユーザ装置は５Ｇ機能を待つゲートウェイに接続させることが望ましい。しかし、ユーザ装置における５Ｇ機能の能力等に応じて、当該ユーザ装置を適切なゲートウェイに接続させるための従来技術は存在しない。【０００８】
本発明は上記の点に鑑みてなされたものであり、特定の機能を待つゲートウェイと特定の機能を持たないゲートウェイが混在する通信システムにおいて、ユーザ装置を適切なゲートウェイに接続させることを可能とする技術を提供することを目的とする。
【課題を解決するための手段】
【０００９】
開示の技術によれば、ユーザ装置から受信する能力情報と、加入者情報管理装置から受信する当該ユーザ装置のサービス利用可否情報とに基づいて、当該ユーザ装置に対して特定の機能を有するゲートウェイを選択するか否かを決定する制御部と、
前記制御部により、前記ユーザ装置に対して前記特定の機能を有するゲートウェイを選択すると決定された場合に、ＤＮＳに対し、前記特定の機能を利用可能であることを示すパラメータを有する問い合わせ信号を送信する送信部と、
当該ＤＮＳから前記特定の機能を有するゲートウェイのリストを受信する受信部と
を備えることを特徴とする通信制御装置が提供される。
【発明の効果】
【００１０】
開示の技術によれば、特定の機能を待つゲートウェイと特定の機能を持たないゲートウェイが混在する通信システムにおいて、ユーザ装置を適切なゲートウェイに接続させることを可能とする技術が提供される。
【図面の簡単な説明】
【００１１】
【図１】実施の形態における通信システムの構成図である。
【図２】通信システムの動作を説明するための図である。
【図３】通信システムの詳細例を示す図である。
【図４】ＭＭＥにおいてＳ／Ｐ‐ＧＷの選択を行う場合におけるシーケンス図である。
【図５】ＳＧＳＮにおいてＳ／Ｐ‐ＧＷの選択を行う場合におけるシーケンス図である。
【図６】実施の形態に係る通信制御装置（ＭＭＥ／ＳＧＳＮ）の機能構成の一例を示す図である。
【図７】実施の形態に係る通信制御装置のハードウェア構成の一例を示す図である。
【発明を実施するための形態】
【００１２】
以下、図面を参照して本発明の実施の形態（本実施の形態）を説明する。なお、以下で説明する実施の形態は一例に過ぎず、本発明が適用される実施の形態は、以下の実施の形態に限られるわけではない。
【００１３】
以下で説明する実施の形態では、既存のＬＴＥ等で使用されているノード名、信号名等の用語を使用しているが、これらと同様のノード、信号等が他の名称で呼ばれてもよい。また、以下の実施の形態では、ＧＷが備える特定の機能の例として５Ｇ機能を挙げているが、本発明は５Ｇ機能に限らずに適用可能である。
【００１４】
（システム構成、動作例）
図１に本発明の実施の形態における通信システムの構成例を示す。図１に示すように、本実施の形態における通信システムは、無線アクセス装置４００、通信制御装置１００、加入者情報管理装置２００、ＤＮＳ３００、ＧＷ５００、ＧＷ（５Ｇ機能有）６００を有し、これらが図示のように接続された構成を有する。無線アクセス装置４００は、例えば基地局であり、配下の３Ｇ／ＬＴＥ−ＵＥ１０、５Ｇ−ＵＥ２０等と無線で通信を行う。
【００１５】
ＵＥは携帯電話機等のユーザ装置であり、本実施の形態では、従来からある３Ｇ及びＬＴＥの機能を有する３Ｇ／ＬＴＥ−ＵＥ１０、あるいは、５Ｇの機能を有する５Ｇ−ＵＥ２０が無線アクセス装置４００に接続することを想定する。
【００１６】
通信制御装置１００は、例えば、位置登録等のモビリティ制御を実施するノードである。ＤＮＳ３００は、名前（例：ＦＱＤＮ）による問い合わせに対してＩＰアドレスを返す機能を含む装置である。加入者情報管理装置２００は、位置情報、契約情報等の種々の加入者情報を管理する装置であり、本実施の形態では、ＵＥの識別情報に対応付けて、ＵＥの５Ｇ機能利用可否を示す情報を格納している。
【００１７】
ＧＷは、外部ネットワークとの接続等を行うゲートウェイであり、後述するＳ−ＧＷとＰ−ＧＷからなる装置（システム）であることを想定しているがこれに限られない。また、本実施の形態では、５Ｇ機能を有しないＧＷとしてＧＷ５００が備えられ、５Ｇ機能を有するＧＷとしてＧＷ（５Ｇ機能有）６００が備えられる。なお、一般に、ＧＷとＧＷ（５Ｇ機能有）はそれぞれ複数台備えられる。
【００１８】
次に、図２を参照して、図１に示す通信システムの動作例を説明する。以下の説明では接続要求を行うＵＥ（３Ｇ／ＬＴＥ−ＵＥ１０、あるいは、５Ｇの機能を有する５Ｇ−ＵＥ２０）をユーザ装置ＵＥと記述する。図２は、例えば、アタッチ時等、ユーザ装置ＵＥがネットワークへの接続を行う場合の動作例を示している。また、一般のユーザ装置に言及する場合には、ユーザ装置と記述する。
【００１９】
まず、ユーザ装置ＵＥが接続要求信号を通信制御装置１００に送信する（Ｓ１０１）。接続要求信号には、ユーザ装置ＵＥにおける５Ｇ機能の能力の有無を示す能力情報が含まれている。
【００２０】
次に、通信制御装置１００は、加入者情報管理装置２００に位置登録要求信号を送信する（Ｓ１０２）。当該位置登録要求信号には、接続要求信号を送信したユーザ装置ＵＥの識別情報が含まれる。また、加入者情報管理装置２００は、各ユーザ装置の識別情報に対応付けて、ユーザ装置が５Ｇ機能を利用可能か否かを示す情報を保持している。この情報は、例えば、当該ユーザ装置の加入者の契約情報として、５Ｇ契約の有無を示す加入者情報である。
【００２１】
加入者情報管理装置２００は、位置登録応答信号を通信制御装置１００に返す（Ｓ１０３）。当該位置登録応答信号には、接続要求信号を送信したユーザ装置ＵＥが、５Ｇ機能を利用可能か否かを示す情報が含まれる。この情報を５Ｇ利用可否情報あるいはサービス利用可否情報と称してもよい。
【００２２】
続いて、通信制御装置１００は、Ｓ１０１で受信したユーザ装置ＵＥの能力情報（５Ｇ能力有無）と、Ｓ１０３で受信したユーザ装置ＵＥの５Ｇ利用可否情報とに基づいて、ユーザ装置ＵＥを、ＧＷ５００とＧＷ（５Ｇ機能有）６００のうちのどちらに接続させるかを判定する（Ｓ１０４）。
【００２３】
より具体的には、通信制御装置１００は、ユーザ装置ＵＥが５Ｇ能力を有し、かつ、ユーザ装置ＵＥによる５Ｇ利用が可であると判定した場合に、当該ユーザ装置ＵＥをＧＷ（５Ｇ機能有）６００に接続させると決定する。つまり、通信制御装置１００は、ユーザ装置ＵＥに対して、特定の機能である５Ｇ機能を有するＧＷ（５Ｇ機能有）６００を選択する。
【００２４】
ユーザ装置ＵＥが５Ｇ能力を有しない、あるいは、ユーザ装置ＵＥによる５Ｇ利用が不可である場合には、通信制御装置１００は、当該ユーザ装置ＵＥをＧＷ５００に接続させると決定する。
【００２５】
また、通信制御装置１００が、予めオペレータポリシーを格納し、当該ポリシーに基づいて、上記ユーザ装置ＵＥをＧＷ５００とＧＷ（５Ｇ機能有）６００のうちのどちらに接続させるかを判断してもよい。
【００２６】
ここで、例えば、通信制御装置１００は、位置情報取得機能を備えるユーザ装置ＵＥから受信する位置情報に基づき、ユーザ装置ＵＥの位置を把握できるとする。また、通信制御装置１００は、オペレータポリシーとして、特定のエリアに存在するユーザ装置に対して５Ｇ機能（高速データ通信等）を提供することを示す情報を保持しているとする。この場合、通信制御装置１００は、例えば、「ユーザ装置ＵＥが５Ｇ能力を有し、かつ、ユーザ装置ＵＥによる５Ｇ利用が可である」と判定し、更に、ユーザ装置ＵＥの位置情報に基づいて、ユーザ装置ＵＥが特定のエリアに存在することを検知した場合に、ユーザ装置ＵＥをＧＷ（５Ｇ機能有）６００に接続させる。
【００２７】
また、例えば、オペレータポリシーとして、ユーザ装置の識別情報毎に５Ｇ機能提供可否が定められている場合には、通信制御装置１００は、オペレータポリシーにおいてユーザ装置ＵＥへの５Ｇ機能提供可であることが定められていれば、ユーザ装置ＵＥから受信する能力情報、あるいは、加入者情報管理装置２００から受信する情報を使用することなく、当該ユーザ装置ＵＥをＧＷ（５Ｇ機能有）６００に接続させることとしてもよい。
【００２８】
続いて、通信制御装置１００は、ユーザ装置ＵＥを接続させるＧＷのＩＰアドレスを取得するために、アドレス問い合わせ信号をＤＮＳ３００に送信する（Ｓ１０５）。当該アドレス問い合わせ信号には、接続先の名前（例：ＦＱＤＮ）と、５Ｇ機能の有無を示すパラメータが含まれる。ここでは、一例として、５Ｇ機能を有する接続先（接続先名＋パラメータ）を「接続先名（５Ｇ）」とし、５Ｇ機能を有さない接続先を「接続先名」と表す。なお、５Ｇ機能を有するＧＷ候補の問い合わせ信号、あるいは、５Ｇ機能を有するＧＷのＩＰアドレスの問い合わせ信号において、パラメータとして、５Ｇに代えて、ＮＲが含まれていてもよい。
【００２９】
通信制御装置１００は、Ｓ１０４の判定において、ユーザ装置ＵＥをＧＷ（５Ｇ機能有）６００に接続させると決定した場合には、アドレス問い合わせ信号として「接続先名（５Ｇ）」を含む信号をＤＮＳ３００に送信する（Ｓ１０５）。また、通信制御装置１００は、Ｓ１０４の判定において、ユーザ装置ＵＥをＧＷ５００に接続させると決定した場合には、アドレス問い合わせ信号として「接続先名」を含む信号をＤＮＳ３００に送信する（Ｓ１０５）。
【００３０】
ＤＮＳ３００は、アドレス問い合わせ信号として「接続先名（５Ｇ）」を含む信号を受信した場合には、ＧＷ（５Ｇ機能有）６００のＩＰアドレスを通信制御装置１００に返す（Ｓ１０６）。また、ＤＮＳ３００は、アドレス問い合わせ信号として「接続先名」を含む信号を受信した場合には、ＧＷ５００のＩＰアドレスを通信制御装置１００に返す（Ｓ１０６）。なお、通信制御装置１００は、ＧＷ候補を問い合わせる問い合わせ信号をＤＮＳ３００に送り、ＤＮＳ３００は問い合わせ信号の応答として、ＧＷ候補のリストを出力してもよい。
【００３１】
その後、接続先として選択されたＧＷとユーザ装置ＵＥとを接続するベアラ設定処理が実行され（Ｓ１０７）、ユーザ装置ＵＥは当該接続先のＧＷを介して外部ネットワークとの間でデータ通信を実行する。
【００３２】
（詳細例）
＜システム構成＞
次に、本実施の形態に係る通信システムの詳細例を説明する。図３は、通信システムの詳細例に係る構成を示す図である。図３に示す例は、ＥＰＣ（Evolved Packet Core）ネットワークアーキテクチャに基づく例である。
【００３３】
図３に示すように、当該通信システムは、ｅＮＢ／ｇＮＢ４００−１、ＭＭＥ（Mobile Management Entity）１００−１、Ｓ−ＧＷ（Serving Gateway）５００−１、Ｐ−ＧＷ（Packet Data Network Gateway）５００−２、Ｓ−ＧＷ（５Ｇ）６００−１、Ｐ−ＧＷ（５Ｇ）６００−２、ＳＧＳＮ（Serving GPRS Support Node）１００−２、ＲＮＣ／ＮｏｄｅＢ４００−２、ＤＮＳ３００、ＨＳＳ／ＨＬＲ２００を有する。なお、Ｐ−ＧＷ５００−２及びＰ−ＧＷ（５Ｇ）６００−２に接続されているＰＤＮ（Packet Data Network）７００は、ＥＰＣが接続する外部のネットワークである。図３において、点線は制御信号インタフェースを示し、実線は、ユーザデータインタフェースを示す。ただし、図３は概要を示しており、図示しない制御信号インタフェース及びユーザデータインタフェースも存在する。
【００３４】
図３に示すｅＮＢ／ｇＮＢ４００−１及びＲＮＣ／ＮｏｄｅＢ４００−２はそれぞれ、図１に示した無線アクセス装置４００の例である。図３に示すＭＭＥ１００−１及びＳＧＳＮ１００−２はそれぞれ、図１に示した通信制御装置１００の例である。図３に示すＳ−ＧＷ５００−１及びＰ−ＧＷ５００−２は、図１に示したＧＷ５００の例であり、図３に示すＳ−ＧＷ（５Ｇ）６００−１及びＰ−ＧＷ（５Ｇ）６００−２は、図１に示したＧＷ（５Ｇ機能有）６００の例である。また、図３に示すＨＳＳ（Home Subscriber Server）／ＨＬＲ（Home Location Register）２００は、図１に示した加入者情報管理装置２００の例である。
【００３５】
図３に示すｅＮＢ／ｇＮＢ４００−１は、ＬＴＥ対応の基地局（ｅＮＢ）、又は、５Ｇ対応の基地局（ｇＮＢ）である。ｅＮＢ／ｇＮＢ４００−１は、ｅＮＢとｇＮＢがＤｕａｌ  ｃｏｎｎｅｃｔｉｖｉｔｙにより接続された構成であってもよい。
【００３６】
ＲＮＣ／ＮｏｄｅＢ４００−２は、３Ｇ対応の無線ネットワークコントローラと基地局とからなる構成を有する。
【００３７】
ＭＭＥ１００−１は、基地局を収容し、モビリティ制御等を行うノードである。ＳＧＳＮ１００−２は、パケット通信機能を有するノードである。Ｓ−ＧＷ５００−１、Ｓ−ＧＷ（５Ｇ）６００−１はいずれも、３ＧＰＰアクセスシステムを収容する在圏パケットゲートウェイである。ただし、Ｓ−ＧＷ（５Ｇ）６００−１は５Ｇ機能（例：高速データ転送機能）を有する。
【００３８】
Ｐ−ＧＷ５００−２、Ｐ−ＧＷ（５Ｇ）６００−２はいずれも、ＰＤＮ７００との接続点であり、ＩＰアドレスの割り当て、及び、Ｓ−ＧＷ５００−１／Ｓ−ＧＷ（５Ｇ）６００−１へのパケット転送等を行うゲートウェイである。ただし、Ｐ−ＧＷ（５Ｇ）６００−２は５Ｇ機能（例：高速データ転送機能）を有する。
【００３９】
なお、Ｓ−ＧＷ５００−１とＰ−ＧＷ５００−２をＳ／Ｐ−ＧＷ５００と記述し、Ｓ−ＧＷ（５Ｇ）６００−１とＰ−ＧＷ（５Ｇ）６００−２をＳ／Ｐ−ＧＷ６００と記述する場合がある。
【００４０】
ＤＮＳ３００は、名前による問い合わせに対してＩＰアドレス等を返す装置である。ＨＳＳ／ＨＬＲ２００は、ＨＳＳ又はＨＬＲ、あるいは、ＨＳＳとＨＬＲである。ＨＳＳとＨＬＲはいずれも、加入者情報（契約情報、位置情報等）を管理する装置である。
【００４１】
＜動作例＞
次に、図３に示した通信システムにおける動作例を図４、図５を参照して説明する。最初に、図４を参照して、ＭＭＥ１００−１においてＳ／Ｐ−ＧＷの選択を行う場合における動作例を説明する。
【００４２】
まず、ユーザ装置ＵＥが、接続要求に相当するAttach/TAU request（Attach request又はTAU request）を、ｅＮＢ／ｇＮＢ４００−１を経由してＭＭＥ１００−１に送信する（Ｓ２０１）。Attach/TAU requestには、例えば、ユーザ装置ＵＥの５Ｇ能力の有無を示す能力情報であるUE Network Capabilityが含まれる（非特許文献１）。
【００４３】
次に、ＭＭＥ１００−１はＨＳＳ２００にUpdate Location Requestを送信する（Ｓ２０２）。当該Update Location Requestには、Attach/TAU requestを送信したユーザ装置ＵＥの識別情報が含まれる。また、ＨＳＳ２００は、各ユーザ装置の識別情報に対応付けて、当該ユーザ装置が５Ｇ機能を利用可能か否かを示す加入者情報を保持している。この情報は、例えば、Access Restrictionのデータとして保持される（非特許文献２）。
【００４４】
ＨＳＳ２００は、Update Location AnswerをＭＭＥ１００−１に返す（Ｓ２０３）。当該Update Location Answerには、接続要求を送信したユーザ装置ＵＥが、５Ｇ機能を利用可能か否かを示すパラメータが含まれる。
【００４５】
続いて、ＭＭＥ１００−１は、Ｓ２０１で受信したユーザ装置ＵＥの能力情報（５Ｇ能力有無）と、Ｓ２０３で受信したユーザ装置ＵＥの５Ｇ利用可否情報とに基づいて、ユーザ装置ＵＥを、Ｓ／Ｐ−ＧＷ５００とＳ／Ｐ−ＧＷ（５Ｇ）６００のうちのどちらに接続させるかを判定する。
【００４６】
より詳細には、図２を参照して説明した判定方法と同様に、ＭＭＥ１００−１は、ユーザ装置ＵＥが５Ｇ能力を有し、かつ、ユーザ装置ＵＥによる５Ｇ利用が可であると判定した場合に、当該ユーザ装置ＵＥをＳ／Ｐ−ＧＷ（５Ｇ）６００に接続させると決定する。
【００４７】
ユーザ装置ＵＥが５Ｇ能力を有しない、あるいは、ユーザ装置ＵＥによる５Ｇ利用が不可である場合には、ＭＭＥ１００−１は、当該ユーザ装置ＵＥをＳ／Ｐ−ＧＷ５００に接続させると決定する。
【００４８】
また、ＭＭＥ１００−１が、予めオペレータポリシーを格納し、当該オペレータポリシーに基づいて、上記ユーザ装置ＵＥをＳ／Ｐ−ＧＷ５００と、Ｓ／Ｐ−ＧＷ（５Ｇ）６００のうちのどちらに接続させるかを判断してもよい。例えば、ＭＭＥ１００−１は、オペレータポリシーとして、特定のエリアに存在するユーザ装置に対して５Ｇ機能（高速通信等）を提供することを示す情報を保持しているとする。この場合、ＭＭＥ１００−１は、例えば、「ユーザ装置ＵＥが５Ｇ能力を有し、かつ、ユーザ装置ＵＥによる５Ｇ利用可である」と判定し、更に、ユーザ装置ＵＥの位置情報に基づいて、ユーザ装置ＵＥが特定のエリアに存在することを検知した場合に、ユーザ装置ＵＥをＳ／Ｐ−ＧＷ（５Ｇ）６００に接続させる。
【００４９】
また、オペレータポリシーとして、ユーザ装置の識別情報毎に５Ｇ機能提供可否が定められている場合等には、ＭＭＥ１００−１は、オペレータポリシーにおいてユーザ装置ＵＥへの５Ｇ機能提供可であることが定められていれば、ユーザ装置ＵＥから受信する能力情報、あるいは、ＨＳＳ２００から受信する情報を使用することなく、当該ユーザ装置ＵＥをＳ／Ｐ−ＧＷ（５Ｇ）６００に接続させることとしてもよい。
【００５０】
続いて、ＭＭＥ１００−１は、Ｓ−ＧＷ候補の問い合わせとしてDNS query on TAI/NAPTRをＤＮＳ３００に送信する（Ｓ２０４）。DNS query on TAI/NAPTRは、TAI FQDNと、サービスパラメータを含む。
【００５１】
上記サービスパラメータは、例えば、"x-3gpp-sgw:x-s5-gtp+ue-<ue usage type>"である。上記サービスパラメータは、ue usage typeであってもよい。ＭＭＥ１００−１がユーザ装置ＵＥをＳ／Ｐ−ＧＷ（５Ｇ）６００に接続させると決定した場合、ＭＭＥ１００−１は、ue usage typeに、例えば「5G UE」のような、ユーザ装置ＵＥが５Ｇ機能を利用可能であることを示す端末種別の情報を設定する。この場合、サービスパラメータは、"x-3gpp-sgw:x-s5-gtp+ue-<5G UE>"あるいは5G UEになる。当該端末種別の情報は、Ｓ２０３において、ＭＭＥ１００−１がＨＳＳ２００から受信してもよいし、ＭＭＥ１００−１が自身で管理する情報であってもよい。また、当該端末種別の情報は、Ｓ２０３以外のタイミングで、ＭＭＥ１００−１がＨＳＳ２００から受信してもよい。
【００５２】
上記サービスパラメータは、例えば、"x-3gpp-sgw:x-s5-gtp + 新規パラメータ"であってもよい。上記サービスパラメータは、「新規パラメータ」であってもよい。この新規パラメータは、例えば、ユーザ装置ＵＥが５Ｇ機能を利用することを示す「5G」である。すなわち、この場合、上記サービスパラメータは、"x-3gpp-sgw:x-s5-gtp + 5g"あるいは5gである。
【００５３】
ＭＭＥ１００−１がユーザ装置ＵＥをＳ／Ｐ−ＧＷ５００に接続させると決定した場合には、ＭＭＥ１００−１は、例えば、"x-3gpp-sgw:x-s5-gtp+ue-<ue usage type>"におけるue usage typeに、「5G UE」以外の既存の値を設定する。
【００５４】
Ｓ２０４に続いて、ＭＭＥ１００−１はＤＮＳ３００からＳ−ＧＷ群（Ｓ−ＧＷ候補のリスト）の回答を受け、Ｓ−ＧＷを選択し、選択したＳ−ＧＷのアドレス問い合わせをＤＮＳ３００に送信する（Ｓ２０５）。ここで、Ｓ２０４において、ＭＭＥ１００−１がサービスパラメータとして"x-3gpp-sgw:x-s5-gtp+ue-<5G UE>"又は"x-3gpp-sgw:x-s5-gtp + 5g"を有するDNS queryを送信した場合、ＭＭＥ１００−１はＤＮＳ３００から、５Ｇ機能を有するＳ−ＧＷ群（Ｓ−ＧＷ候補のリスト）の回答を受け、その中から例えばＳ−ＧＷ（５Ｇ）６００−１を選択する。
【００５５】
Ｓ２０６において、ＭＭＥ１００−１は、選択したＳ−ＧＷ（５Ｇ）６００−１のＩＰアドレスを受信する。
【００５６】
続いて、ＭＭＥ１００−１は、Ｐ−ＧＷ候補の問い合わせとしてDNS query on APN/NAPTRをＤＮＳ３００に送信する（Ｓ２０７）。DNS query on APN/NAPTRは、APN FQDNと、サービスパラメータを含む。
【００５７】
上記サービスパラメータは、例えば、"x-3gpp-pgw:x-s5-gtp+ue-<ue usage type>"である。上記サービスパラメータは、ue usage typeであってもよい。ＭＭＥ１００−１がユーザ装置ＵＥをＳ／Ｐ−ＧＷ（５Ｇ）６００に接続させると決定した場合、ＭＭＥ１００−１は、ue usage typeに、例えば「5G UE」のような、前述した端末種別の情報を設定する。この場合、サービスパラメータは、"x-3gpp-pgw:x-s5-gtp+ue-<5G UE>"あるいは5G UEになる。
【００５８】
また、上記サービスパラメータは、例えば、"x-3gpp-pgw:x-s5-gtp + 新規パラメータ"であってもよい。上記サービスパラメータは、「新規パラメータ」であってもよい。この新規パラメータは、例えば、ユーザ装置ＵＥが５Ｇ機能を利用することを示す「5G」である。すなわち、この場合、上記サービスパラメータは、"x-3gpp-pgw:x-s5-gtp + 5g"あるいは5gである。
【００５９】
ＭＭＥ１００−１がユーザ装置ＵＥをＳ／Ｐ−ＧＷ５００に接続させると決定した場合には、ＭＭＥ１００−１は、例えば"x-3gpp-pgw:x-s5-gtp+ue-<ue usage type>"におけるue usage typeに、「5G UE」以外の既存の値を設定する。
【００６０】
Ｓ２０７に続いて、ＭＭＥ１００−１はＤＮＳ３００からＰ−ＧＷ群（Ｐ−ＧＷ候補のリスト）の回答を受け、Ｐ−ＧＷを選択し、選択したＰ−ＧＷのアドレス問い合わせをＤＮＳ３００に送信する（Ｓ２０８）。ここで、Ｓ２０７において、ＭＭＥ１００−１がサービスパラメータとして"x-3gpp-pgw:x-s5-gtp+ue-<5G UE>"又は"x-3gpp-pgw:x-s5-gtp + 5g"を有するDNS queryを送信した場合、ＭＭＥ１００−１はＤＮＳ３００から、５Ｇ機能を有するＰ−ＧＷ群（Ｐ−ＧＷ候補のリスト）の回答を受け、その中から例えばＰ−ＧＷ（５Ｇ）６００−２を選択する。Ｓ２０９において、ＭＭＥ１００−１は、選択したＳ−ＧＷ（５Ｇ）６００−２のＩＰアドレスを受信する。
【００６１】
続くＳ２１０〜Ｓ２１７の処理はベアラ設定のための既存の処理であるので、簡単に説明する。ＭＭＥ１００−１は、Create Session Requestを、上記ＩＰアドレスを用いて、選択したＳ／Ｐ−ＧＷに送信し（Ｓ２１０）、Ｓ／Ｐ−ＧＷからCreate Session Responseを受信する（Ｓ２１１）。ＭＭＥ１００−１は、ｅＮＢ／ｇＮＢ４００−１にInitial Context Setup Request(Attach/TAU accept)を送信し（Ｓ２１２）、ｅＮＢ／ｇＮＢ４００−１はユーザ装置ＵＥに対してAttach/TAU acceptを送信する（Ｓ２１３）。ｅＮＢ／ｇＮＢ４００−１は、ＭＭＥ１００−１にInitial Context Setup Requestを送信し（Ｓ２１４）、また、ユーザ装置ＵＥはＭＭＥ１００−１にAttach/TAU completeを送信する。そして、ＭＭＥ１００−１はＳ／Ｐ−ＧＷにModify Bearer Requestを送信し（Ｓ２１６）、Ｓ／Ｐ−ＧＷはＭＭＥ１００−１にModify Bearer Responseを送信する（Ｓ２１７）。
【００６２】
次に、図５を参照して、ＳＧＳＮ１００−２においてＳ／Ｐ−ＧＷの選択を行う場合における動作を説明する。
【００６３】
まず、ユーザ装置ＵＥが、接続要求に相当するAttach/RAU request（Attach request又はRAU request）を、ＲＮＣ／ＮｏｄｅＢ４００−２を経由してＳＧＳＮ１００−２に送信する（Ｓ３０１）。Attach/RAU requestには、例えば、ユーザ装置ＵＥの５Ｇ能力の有無を示す能力情報であるMS Network Capabilityが含まれる（非特許文献３）。
【００６４】
次に、ＳＧＳＮ１００−２はＨＳＳ／ＨＬＲ２００にUpdate Location Requestを送信する（Ｓ３０２）。当該Update Location Requestには、Attach/RAU requestを送信したユーザ装置ＵＥの識別情報が含まれる。また、ＨＳＳ／ＨＬＲ２００は、各ユーザ装置の識別情報に対応付けて、当該ユーザ装置が５Ｇ機能を利用可能か否かを示す加入者情報を保持している。この情報は、例えば、Access Restrictionのデータとして保持される。
【００６５】
ＨＳＳ／ＨＲＬ２００は、Update Location AnswerをＳＧＳＮ１００−２に返す（Ｓ３０３）。当該Update Location Answerには、接続要求を送信したユーザ装置ＵＥが、５Ｇ機能を利用可能か否かを示すパラメータが含まれる。
【００６６】
続いて、ＳＧＳＮ１００−２は、Ｓ３０１で受信したユーザ装置ＵＥの能力情報（５Ｇ能力有無）と、Ｓ３０３で受信したユーザ装置ＵＥの５Ｇ利用可否情報とに基づいて、ユーザ装置ＵＥを、Ｓ／Ｐ−ＧＷ５００と、Ｓ／Ｐ−ＧＷ（５Ｇ）６００のうちのどちらに接続させるかを判定する。
【００６７】
ここでは、図２を参照して説明した判定方法と同様に、ＳＧＳＮ１００−２は、ユーザ装置ＵＥが５Ｇ能力を有し、かつ、ユーザ装置ＵＥによる５Ｇ利用が可であると判定した場合に、当該ユーザ装置ＵＥをＳ／Ｐ−ＧＷ（５Ｇ）６００に接続させると決定する。
【００６８】
ユーザ装置ＵＥが５Ｇ能力を有しない、あるいは、ユーザ装置ＵＥによる５Ｇ利用が不可である場合には、ＳＧＳＮ１００−２は、当該ユーザ装置ＵＥをＳ／Ｐ−ＧＷ５００に接続させると決定する。
【００６９】
また、ＳＧＳＮ１００−２が、予めオペレータポリシーを格納し、当該オペレータポリシーに基づいて、上記ユーザ装置ＵＥをＳ／Ｐ−ＧＷ５００と、Ｓ／Ｐ−ＧＷ（５Ｇ）６００のうちのどちらに接続させるかを判断してもよい。例えば、ＳＧＳＮ１００−２は、オペレータポリシーとして、特定のエリアに存在するユーザ装置に対して５Ｇ機能（高速通信等）を提供することを示す情報を保持しているとする。この場合、ＳＧＳＮ１００−２は、例えば、「ユーザ装置ＵＥが５Ｇ能力を有し、かつ、ユーザ装置ＵＥによる５Ｇ利用可である」と判定し、更に、ユーザ装置ＵＥの位置情報に基づいて、ユーザ装置ＵＥが特定のエリアに存在することを検知した場合に、ユーザ装置ＵＥをＳ／Ｐ−ＧＷ（５Ｇ）６００に接続させる。
【００７０】
また、オペレータポリシーとして、ユーザ装置の識別情報毎に５Ｇ機能提供可否が定められている場合等には、ＳＧＳＮ１００−２は、オペレータポリシーにおいてユーザ装置ＵＥへの５Ｇ機能提供可であることが定められていれば、ユーザ装置ＵＥから受信する能力情報、あるいは、ＨＳＳ／ＨＬＲ２００から受信する情報を使用することなく、当該ユーザ装置ＵＥをＳ／Ｐ−ＧＷ（５Ｇ）６００に接続させることとしてもよい。
【００７１】
続いて、ＳＧＳＮ１００−２は、Ｓ−ＧＷ候補の問い合わせとしてDNS query on RAI/NAPTRをＤＮＳ３００に送信する（Ｓ３０４）。DNS query on RAI/NAPTRは、RAI FQDNと、サービスパラメータを含む。
【００７２】
上記サービスパラメータは、例えば、"x-3gpp-sgw:x-s5-gtp+ue-<ue usage type>"である。上記サービスパラメータは、ue usage typeであってもよい。ＳＧＳＮ１００−２がユーザ装置ＵＥをＳ／Ｐ−ＧＷ（５Ｇ）６００に接続させると決定した場合、ＳＧＳＮ１００−２は、ue usage typeに、例えば「5G UE」のような、ユーザ装置ＵＥが５Ｇ機能を利用可能であることを示す端末種別の情報を設定する。この場合、サービスパラメータは、"x-3gpp-sgw:x-s5-gtp+ue-<5G UE>"あるいは5G UEになる。当該端末種別の情報は、Ｓ３０３において、ＳＧＳＮ１００−２がＨＳＳ／ＨＬＲ２００から受信してもよいし、ＳＧＳＮ１００−２が自身で管理する情報であってもよい。また、当該端末種別の情報は、Ｓ３０３以外のタイミングで、ＳＧＳＮ１００−２がＨＳＳ／ＨＬＲ２００から受信してもよい。
【００７３】
また、上記サービスパラメータは、例えば、"x-3gpp-sgw:x-s5-gtp + 新規パラメータ"であってもよい。上記サービスパラメータは、「新規パラメータ」であってもよい。この新規パラメータは、例えば、ユーザ装置ＵＥが５Ｇ機能を利用することを示す「5G」である。すなわち、この場合、上記サービスパラメータは、例えば、"x-3gpp-sgw:x-s5-gtp + 5g"あるいは5gである。
【００７４】
ＳＧＳＮ１００−２がユーザ装置ＵＥをＳ／Ｐ−ＧＷ５００に接続させると決定した場合、ＳＧＳＮ１００−２は、例えば"x-3gpp-sgw:x-s5-gtp+ue-<ue usage type>"におけるue usage typeに、「5G UE」以外の既存の値を設定する。
【００７５】
Ｓ３０４に続いて、ＳＧＳＮ１００−２はＤＮＳ３００からＳ−ＧＷ群（Ｓ−ＧＷ候補のリスト）の回答を受け、Ｓ−ＧＷを選択し、選択したＳ−ＧＷのアドレス問い合わせをＤＮＳ３００に送信する（Ｓ３０５）。ここで、Ｓ３０４において、ＳＧＳＮ１００−２がサービスパラメータとして"x-3gpp-sgw:x-s5-gtp+ue-<5G UE>"又は"x-3gpp-sgw:x-s5-gtp + 5g"を有するDNS queryを送信する場合、ＳＧＳＮ１００−２はＤＮＳ３００から、５Ｇ機能を有するＳ−ＧＷ群（Ｓ−ＧＷ候補のリスト）の回答を受け、その中から例えばＳ−ＧＷ（５Ｇ）６００−１を選択する。
【００７６】
Ｓ３０６において、ＳＧＳＮ１００−２は、選択したＳ−ＧＷ（５Ｇ）６００−１のＩＰアドレスを受信する。
【００７７】
続いて、ＳＧＳＮ１００−２は、Ｐ−ＧＷ候補の問い合わせとしてDNS query on APN/NAPTRをＤＮＳ３００に送信する（Ｓ３０７）。DNS query on APN/NAPTRは、APN FQDNと、サービスパラメータを含む。
【００７８】
上記サービスパラメータは、例えば、"x-3gpp-pgw:x-s5-gtp+ue-<ue usage type>"である。上記サービスパラメータは、ue usage typeであってもよい。ＳＧＳＮ１００−２がユーザ装置ＵＥをＳ／Ｐ−ＧＷ（５Ｇ）６００に接続させると決定した場合、ＳＧＳＮ１００−２は、ue usage typeに、例えば「5G UE」のような、前述した端末種別の情報を設定する。この場合、サービスパラメータは、"x-3gpp-pgw:x-s5-gtp+ue-<5G UE>"あるいは5G UEになる。
【００７９】
また、上記サービスパラメータは、例えば、"x-3gpp-pgw:x-s5-gtp + 新規パラメータ"であってもよい。上記サービスパラメータは、「新規パラメータ」であってもよい。この新規パラメータは、例えば、ユーザ装置ＵＥが５Ｇ機能を利用することを示す「5G」である。すなわち、この場合、上記サービスパラメータは、例えば、"x-3gpp-pgw:x-s5-gtp + 5g"あるいは5gである。
【００８０】
ＳＧＳＮ１００−２がユーザ装置ＵＥをＳ／Ｐ−ＧＷ５００に接続させると決定した場合、ＳＧＳＮ１００−２は、例えば、"x-3gpp-pgw:x-s5-gtp+ue-<ue usage type>"におけるue usage typeに、「5G UE」以外の既存の値を設定する。
【００８１】
Ｓ３０７に続いて、ＳＧＳＮ１００−２はＤＮＳ３００からＰ−ＧＷ群（Ｐ−ＧＷ候補のリスト）の回答を受け、Ｐ−ＧＷを選択し、選択したＰ−ＧＷのアドレス問い合わせをＤＮＳ３００に送信する（Ｓ３０８）。ここで、Ｓ３０７において、ＳＧＳＮ１００−２がサービスパラメータとして"x-3gpp-pgw:x-s5-gtp+ue-<5G UE>"又は"x-3gpp-pgw:x-s5-gtp + 5g"を有するDNS queryを送信する場合、ＳＧＳＮ１００−２はＤＮＳ３００から、５Ｇ機能を有するＰ−ＧＷ群（Ｐ−ＧＷ候補のリスト）の回答を受け、その中から例えばＰ−ＧＷ（５Ｇ）６００−２を選択する。Ｓ３０９において、ＳＧＳＮ１００−２は、選択したＰ−ＧＷ（５Ｇ）６００−２のＩＰアドレスを受信する。
【００８２】
続くＳ３１０〜Ｓ３１７の処理はベアラ設定のための既存の処理であるので、簡単に説明する。ＳＧＳＮ１００−２は、ＤＮＳ３００から受信したＩＰアドレスを用いて、Create Session Requestを選択したＳ／Ｐ−ＧＷに送信し（Ｓ３１０）、Ｓ／Ｐ−ＧＷからCreate Session Responseを受信する（Ｓ３１１）。ＳＧＳＮ１００−２は、ＲＮＣ／ＮｏｄｅＢ４００−２にInitial Context Setup Request(Attach/RAU accept)を送信し（Ｓ３１２）、ＲＮＣ／ＮｏｄｅＢ４００−２はユーザ装置ＵＥに対してAttach/RAU acceptを送信する（Ｓ３１３）。ＲＮＣ／ＮｏｄｅＢ４００−２は、ＳＧＳＮ１００−２にInitial Context Setup Requestを送信し（Ｓ３１４）、また、ユーザ装置ＵＥはＳＧＳＮ１００−２にAttach/RAU completeを送信する。そして、ＳＧＳＮ１００−２はＳ／Ｐ−ＧＷにModify Bearer Requestを送信し（Ｓ３１６）、Ｓ／Ｐ−ＧＷはＳＧＳＮ１００−２にModify Bearer Responseを送信する（Ｓ３１７）。
【００８３】
上述した本実施の形態における処理により、例えば、５Ｇ能力を有するユーザ装置を、５Ｇ機能を有するＳ／Ｐ−ＧＷに接続すること（例：ベアラを設定すること）が可能となり、５Ｇ能力を有するユーザ装置は５Ｇ機能を使用したサービスを受けることができる。
【００８４】
（装置構成）
次に、これまでに説明した処理動作を実行する通信制御装置１００（ＭＭＥ１００−１又はＳＧＳＮ１００−２）の機能構成例を説明する。
【００８５】
図６は、通信制御装置１００の機能構成の一例を示す図である。図６に示すように、通信制御装置１００は、送信部１０１と、受信部１０２と、判定部１０３と、アドレス問い合わせ部１０４を有する。図６に示す機能構成は一例に過ぎない。本実施の形態に係る動作を実行できるのであれば、機能区分及び機能部の名称はどのようなものでもよい。なお、送信部１０１を送信機と称し、受信部１０２を受信機と称してもよい。また、判定部１０３を制御部と称してもよい。また、アドレス問い合わせ部１０４における送信に関わる機能が送信部１０１に含まれ、アドレス問い合わせ部１０４における受信に関わる機能が受信部１０２に含まれてもよい。
【００８６】
送信部１０１は、送信信号を生成し、当該信号を送信する機能を含む。送信する信号は、例えば、図４、図５において、ＭＭＥ／ＳＧＳＮが送信する信号である。受信部１０２は、各種の信号を受信する機能を含む。受信する信号は、例えば、図４、図５において、ＭＭＥ／ＳＧＳＮが受信する信号である。
【００８７】
判定部１０３は、例えば、図２、図４、図５を参照して説明したように、ユーザ装置ＵＥの接続先として、５Ｇ機能を有するＧＷか、５Ｇ機能を有さない既存のＧＷかのどちらにするかの判定を行う。アドレス問い合わせ部１０４は、ＤＮＳ３００への問い合わせ送信及びＤＮＳ３００からの回答受信を、送信部１０１／受信部１０２を介して実行する。
【００８８】
例えば、通信制御装置１００は、特定の機能を有しない第１のゲートウェイと、当該特定の機能を有する第２のゲートウェイと、加入者情報管理装置と、ＤＮＳと、通信制御装置とを有する通信システムにおける通信制御装置であり、判定部１０３は、ユーザ装置から受信する能力情報と、前記加入者情報管理装置から受信する当該ユーザ装置のサービス利用可否情報とに基づいて、当該ユーザ装置を前記第２のゲートウェイに接続させるか否かを決定するように構成され、アドレス問い合わせ部１０４は、前記判定部により、前記ユーザ装置を前記第２のゲートウェイに接続させると決定された場合に、前記ＤＮＳに対し、前記特定の機能を利用可能であることを示すパラメータを有するアドレス問い合わせ信号を送信し、当該ＤＮＳから前記第２のゲートウェイのアドレスを受信するように構成される。
【００８９】
また、例えば、通信制御装置１００は、ユーザ装置から受信する能力情報と、加入者情報管理装置から受信する当該ユーザ装置のサービス利用可否情報とに基づいて、当該ユーザ装置に対して特定の機能を有するゲートウェイを選択するか否かを決定する制御部（判定部１０３に対応）と、前記制御部により、前記ユーザ装置に対して前記特定の機能を有するゲートウェイを選択すると決定された場合に、ＤＮＳに対し、前記特定の機能を利用可能であることを示すパラメータを有する問い合わせ信号を送信する送信部１０１と、当該ＤＮＳから前記特定の機能を有するゲートウェイのリストを受信する受信部１０２とを備えるように構成されてもよい。
【００９０】
前記判定部１０３あるいは前記制御部は、予め定められたポリシーに基づいて前記ユーザ装置に対して前記特定の機能を有するゲートウェイを選択するか否かを決定することもできる。
【００９１】
前記判定部１０３あるいは前記制御部は、例えば、前記能力情報が、前記特定の機能を利用することが可能であることを示す情報であり、かつ、前記サービス利用可否情報が、前記特定の機能を利用することが可能であることを示す情報である場合に、前記ユーザ装置に対して前記特定の機能を有するゲートウェイを選択すると決定する。
【００９２】
＜ハードウェア構成＞
上記実施の形態の説明に用いたブロック図（図６）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００９３】
また、例えば、本発明の一実施の形態における通信制御装置１００（ＭＭＥ／ＳＧＳＮ）は、本実施の形態に係る処理を行うコンピュータとして機能してもよい。図７は、本実施の形態に係る通信制御装置１００のハードウェア構成の一例を示す図である。上述の通信制御装置１００は、物理的には、プロセッサ１００１、メモリ１００２、ストレージ１００３、通信装置１００４、入力装置１００５、出力装置１００６、バス１００７などを含むコンピュータ装置として構成されてもよい。なお、ＤＮＳ３００、加入者情報管理装置２００、基地局（ｅＮＢ、ｇＮＢ、ＲＮＣ、ＮｏｄｅＢ）、ＵＥも、図７に示す構成を有することとしてもよい。
【００９４】
なお、以下の説明では、「装置」という文言は、回路、デバイス、ユニットなどに読み替えることができる。通信制御装置１００のハードウェア構成は、図に示した１００１〜１００６で示される各装置を１つ又は複数含むように構成されてもよいし、一部の装置を含まずに構成されてもよい。
【００９５】
通信制御装置１００における各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００９６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Ｃｅｎｔｒａｌ  Ｐｒｏｃｅｓｓｉｎｇ  Ｕｎｉｔ）で構成されてもよい。
【００９７】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、通信制御装置１００のそれぞれの機能は、メモリ１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００９８】
メモリ１００２は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、ＲＡＭ（Ｒａｎｄｏｍ  Ａｃｃｅｓｓ  Ｍｅｍｏｒｙ）などの少なくとも１つで構成されてもよい。メモリ１００２は、レジスタ、キャッシュ、メインメモリ（主記憶装置）などと呼ばれてもよい。メモリ１００２は、本発明の一実施の形態に係る処理を実施するために実行可能なプログラム（プログラムコード）、ソフトウェアモジュールなどを保存することができる。
【００９９】
ストレージ１００３は、コンピュータ読み取り可能な記録媒体であり、例えば、ＣＤ−ＲＯＭ（Ｃｏｍｐａｃｔ  Ｄｉｓｃ  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１００】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、通信制御装置１００の送信部１０１、受信部１０２は、通信装置１００４で実現されてもよい。
【０１０１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【０１０２】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１０３】
また、通信制御装置１００は、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１０４】
（実施の形態のまとめ）
以上説明したように、本実施の形態により、ユーザ装置から受信する能力情報と、加入者情報管理装置から受信する当該ユーザ装置のサービス利用可否情報とに基づいて、当該ユーザ装置に対して特定の機能を有するゲートウェイを選択するか否かを決定する制御部と、前記制御部により、前記ユーザ装置に対して前記特定の機能を有するゲートウェイを選択すると決定された場合に、ＤＮＳに対し、前記特定の機能を利用可能であることを示すパラメータを有する問い合わせ信号を送信する送信部と、当該ＤＮＳから前記特定の機能を有するゲートウェイのリストを受信する受信部とを備えることを特徴とする通信制御装置が提供される。
【０１０５】
上記の構成により、特定の機能を待つゲートウェイと特定の機能を持たないゲートウェイが混在する通信システムにおいて、ユーザ装置を適切なゲートウェイに接続させることが可能となる。
【０１０６】
前記制御部は、予め定められたポリシーに基づいて前記ユーザ装置に対して前記特定の機能を有するゲートウェイを選択するか否かを決定することとしてもよい。この構成により、例えば、オペレータの意図を、接続制御において反映させることができる。
【０１０７】
前記制御部は、前記能力情報が、前記特定の機能を利用することが可能であることを示す情報であり、かつ、前記サービス利用可否情報が、前記特定の機能を利用することが可能であることを示す情報である場合に、前記ユーザ装置に対して前記特定の機能を有するゲートウェイを選択すると決定することとしてもよい。この構成により、ユーザ装置は、能力に見合ったゲートウェイに接続できる。
【０１０８】
前記特定の機能は例えばＮＲ機能である。この構成により、ＮＲをサポートするユーザ装置を５Ｇ機能を有するゲートウェイに接続させることができる。
【０１０９】
また、本実施の形態によれば、ユーザ装置から受信する能力情報と、加入者情報管理装置から受信する当該ユーザ装置のサービス利用可否情報とに基づいて、当該ユーザ装置に対して特定の機能を有するゲートウェイを選択するか否かを決定する判定ステップと、前記判定ステップにより、前記ユーザ装置に対して前記特定の機能を有するゲートウェイを選択すると決定された場合に、ＤＮＳに対し、前記特定の機能を利用可能であることを示すパラメータを有する問い合わせ信号を送信する送信ステップと、当該ＤＮＳから前記特定の機能を有するゲートウェイのリストを受信する受信ステップとを備えることを特徴とする、通信制御装置により実行される通信制御方法が提供される。
【０１１０】
上記の構成により、特定の機能を待つゲートウェイと特定の機能を持たないゲートウェイが混在する通信システムにおいて、ユーザ装置を適切なゲートウェイに接続させることが可能となる。
【０１１１】
なお、明細書には少なくとも以下の事項が開示されている。
（第１項）
特定の機能を有しない第１のゲートウェイと、当該特定の機能を有する第２のゲートウェイと、加入者情報管理装置と、ＤＮＳと、通信制御装置とを有する通信システムにおける前記通信制御装置であって、
ユーザ装置から受信する能力情報と、前記加入者情報管理装置から受信する当該ユーザ装置のサービス利用可否情報とに基づいて、当該ユーザ装置を前記第２のゲートウェイに接続させるか否かを決定する判定部と、
前記判定部により、前記ユーザ装置を前記第２のゲートウェイに接続させると決定された場合に、前記ＤＮＳに対し、前記特定の機能を利用可能であることを示すパラメータを有するアドレス問い合わせ信号を送信し、当該ＤＮＳから前記第２のゲートウェイのアドレスを受信するアドレス問い合わせ部と
を備えることを特徴とする通信制御装置。
（第２項）
前記判定部は、予め定められたポリシーに基づいて前記ユーザ装置を前記第２のゲートウェイに接続させるか否かを決定する
ことを特徴とする第１項に記載の通信制御装置。
（第３項）
前記判定部は、前記能力情報が、前記特定の機能を利用することが可能であることを示す情報であり、かつ、前記サービス利用可否情報が、前記特定の機能を利用することが可能であることを示す情報である場合に、前記ユーザ装置を前記第２のゲートウェイに接続させると決定する
ことを特徴とする第１項又は第１項に記載の通信制御装置。
（第４項）
前記特定の機能は５Ｇ機能である
ことを特徴とする第１項ないし第３項のうちいずれか１項に記載の通信制御装置。
（第５項）
特定の機能を有しない第１のゲートウェイと、当該特定の機能を有する第２のゲートウェイと、加入者情報管理装置と、ＤＮＳと、通信制御装置とを有する通信システムにおける前記通信制御装置が実行する通信制御方法であって、
ユーザ装置から受信する能力情報と、前記加入者情報管理装置から受信する当該ユーザ装置のサービス利用可否情報とに基づいて、当該ユーザ装置を前記第２のゲートウェイに接続させるか否かを決定する判定ステップと、
前記判定ステップにより、前記ユーザ装置を前記第２のゲートウェイに接続させると決定された場合に、前記ＤＮＳに対し、前記特定の機能を利用可能であることを示すパラメータを有するアドレス問い合わせ信号を送信し、当該ＤＮＳから前記第２のゲートウェイのアドレスを受信するアドレス問い合わせステップと
を備えることを特徴とする通信制御方法。
【０１１２】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、通信制御装置１００は機能的なブロック図を用いて説明されたが、そのような装置はハードウェアで、ソフトウェアで又はそれらの組み合わせで実現されてもよい。本発明の実施の形態に従って各装置が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１１３】
また、情報の通知は、本明細書で説明した態様／実施形態に限られず、他の方法で行われてもよい。例えば、情報の通知は、物理レイヤシグナリング（例えば、ＤＣＩ（Ｄｏｗｎｌｉｎｋ  Ｃｏｎｔｒｏｌ  Ｉｎｆｏｒｍａｔｉｏｎ）、ＵＣＩ（Ｕｐｌｉｎｋ  Ｃｏｎｔｒｏｌ  Ｉｎｆｏｒｍａｔｉｏｎ））、上位レイヤシグナリング（例えば、ＲＲＣ（Ｒａｄｉｏ  Ｒｅｓｏｕｒｃｅ  Ｃｏｎｔｒｏｌ）シグナリング、ＭＡＣ（Ｍｅｄｉｕｍ  Ａｃｃｅｓｓ  Ｃｏｎｔｒｏｌ）シグナリング、ブロードキャスト情報（ＭＩＢ（Ｍａｓｔｅｒ  Ｉｎｆｏｒｍａｔｉｏｎ  Ｂｌｏｃｋ）、ＳＩＢ（Ｓｙｓｔｅｍ  Ｉｎｆｏｒｍａｔｉｏｎ  Ｂｌｏｃｋ））、その他の信号又はこれらの組み合わせによって実施されてもよい。また、ＲＲＣシグナリングは、ＲＲＣメッセージと呼ばれてもよく、例えば、ＲＲＣ接続セットアップ（ＲＲＣ  Ｃｏｎｎｅｃｔｉｏｎ  Ｓｅｔｕｐ）メッセージ、ＲＲＣ接続再構成（ＲＲＣ  Ｃｏｎｎｅｃｔｉｏｎ  Ｒｅｃｏｎｆｉｇｕｒａｔｉｏｎ）メッセージなどであってもよい。
【０１１４】
本明細書で説明した各態様／実施形態は、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＳＵＰＥＲ  ３Ｇ、ＩＭＴ−Ａｄｖａｎｃｅｄ、４Ｇ、５Ｇ、ＦＲＡ（Ｆｕｔｕｒｅ  Ｒａｄｉｏ  Ａｃｃｅｓｓ）、Ｗ−ＣＤＭＡ（登録商標）、ＧＳＭ（登録商標）、ＣＤＭＡ２０００、ＵＭＢ（Ｕｌｔｒａ  Ｍｏｂｉｌｅ  Ｂｒｏａｄｂａｎｄ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ｕｌｔｒａ−ＷｉｄｅＢａｎｄ）、Ｂｌｕｅｔｏｏｔｈ（登録商標）、その他の適切なシステムを利用するシステム及び／又はこれらに基づいて拡張された次世代システムに適用されてもよい。
【０１１５】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１１６】
本明細書において基地局（ｅＮＢ、ｇＮＢ等）によって行われるとした特定動作は、場合によってはその上位ノード（ｕｐｐｅｒ  ｎｏｄｅ）によって行われることもある。基地局ｅＮＢ／ｇＮＢを有する１つまたは複数のネットワークノード（ｎｅｔｗｏｒｋ  ｎｏｄｅｓ）からなるネットワークにおいて、ユーザ装置ＵＥとの通信のために行われる様々な動作は、基地局ｅＮＢ／ｇＮＢおよび／または基地局ｅＮＢ／ｇＮＢ以外の他のネットワークノード（例えば、ＭＭＥまたはＳ−ＧＷなどが考えられるが、これらに限られない）によって行われ得ることは明らかである。
【０１１７】
本明細書で説明した各態様／実施形態は単独で用いてもよいし、組み合わせて用いてもよいし、実行に伴って切り替えて用いてもよい。
【０１１８】
ユーザ装置ＵＥは、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１１９】
本明細書で使用する「判断（ｄｅｔｅｒｍｉｎｉｎｇ）」、「決定（ｄｅｔｅｒｍｉｎｉｎｇ）」という用語は、多種多様な動作を包含する場合がある。「判断」、「決定」は、例えば、判定（ｊｕｄｇｉｎｇ）、計算（ｃａｌｃｕｌａｔｉｎｇ）、算出（ｃｏｍｐｕｔｉｎｇ）、処理（ｐｒｏｃｅｓｓｉｎｇ）、導出（ｄｅｒｉｖｉｎｇ）、調査（ｉｎｖｅｓｔｉｇａｔｉｎｇ）、探索（ｌｏｏｋｉｎｇ  ｕｐ）（例えば、テーブル、データベースまたは別のデータ構造での探索）、確認（ａｓｃｅｒｔａｉｎｉｎｇ）した事を「判断」「決定」したとみなす事などを含み得る。また、「判断」、「決定」は、受信（ｒｅｃｅｉｖｉｎｇ）（例えば、情報を受信すること）、送信（ｔｒａｎｓｍｉｔｔｉｎｇ）（例えば、情報を送信すること）、入力（ｉｎｐｕｔ）、出力（ｏｕｔｐｕｔ）、アクセス（ａｃｃｅｓｓｉｎｇ）（例えば、メモリ中のデータにアクセスすること）した事を「判断」「決定」したとみなす事などを含み得る。また、「判断」、「決定」は、解決（ｒｅｓｏｌｖｉｎｇ）、選択（ｓｅｌｅｃｔｉｎｇ）、選定（ｃｈｏｏｓｉｎｇ）、確立（ｅｓｔａｂｌｉｓｈｉｎｇ）、比較（ｃｏｍｐａｒｉｎｇ）などした事を「判断」「決定」したとみなす事を含み得る。つまり、「判断」「決定」は、何らかの動作を「判断」「決定」したとみなす事を含み得る。
【０１２０】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１２１】
「含む（ｉｎｃｌｕｄｅ）」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｉｎｇ）」と同様に、包括的であることが意図される。さらに、本明細書あるいは特許請求の範囲において使用されている用語「または（ｏｒ）」は、排他的論理和ではないことが意図される。
【０１２２】
本開示の全体において、例えば、英語でのａ，ａｎ，及びｔｈｅのように、翻訳により冠詞が追加された場合、これらの冠詞は、文脈から明らかにそうではないことが示されていなければ、複数のものを含み得る。
【０１２３】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１２４】
本特許出願は２０１７年１０月１２日に出願した日本国特許出願第２０１７−１９８８５２号に基づきその優先権を主張するものであり、日本国特許出願第２０１７−１９８８５２号の全内容を本願に援用する。
【符号の説明】
【０１２５】
１００  通信制御装置
１０１  送信部
１０２  受信部
１０３  判定部
１０４  アドレス問い合わせ部
２００  加入者情報管理装置、ＨＳＳ／ＨＬＲ
３００  ＤＮＳ
４００  無線アクセス装置
５００  ＧＷ
６００  ＧＷ（５Ｇ機能有）
１００−１  ＭＭＥ
１００−２  ＳＧＳＮ
４００−１  ｅＮＢ／ｇＮＢ
４００−２  ＲＮＣ／ＮｏｄｅＢ
５００−１  Ｓ−ＧＷ
５００−２  Ｐ−ＧＷ
６００−１  Ｓ−ＧＷ（５Ｇ）
６００−２  Ｐ−ＧＷ（５Ｇ）
１００１  プロセッサ
１００２  メモリ
１００３  ストレージ
１００４  通信装置
１００５  入力装置
１００６  出力装置
【図１】
2019074045.tif 000003
【図２】
2019074045.tif 000004
【図３】
2019074045.tif 000005
【図４】
2019074045.tif 000006
【図５】
2019074045.tif 000007
【図６】
2019074045.tif 000008
【図７】
2019074045.tif 000009
【国際調査報告】
2019074045.tif 000010
2019074045.tif 000011
2019074045.tif 000012
2019074045.tif 000013